(57)【要約】【課題】使用、交換済みの多数の卒塔婆を、仏を敬う気持ちで長期間安全、丁寧に保管できる卒塔婆収納ケースを提供せんとする。【解決手段】平面矩形状を呈するように配置された少なくとも４本の支柱と、前記各支柱の地面から所定の高さ離れた位置を互いに連結する下部連結部材と、前記各支柱の上端側を互いに連結する上部連結部材と、前記下部連結部材の位置に差し渡された複数の通水孔を有する卒塔婆載置プレートと、前記上部連結部材と下部連結部材の間に周囲の全部或は一部を覆って設けられたところの複数の通気孔を有する目隠しプレートと、を設けることによって解決した。前記目隠しプレートには、複数の透かし孔等による装飾模様を施したり、前記支柱の頂部にはキャップを取り付けたりすることも望ましい。【選択図】図１
0003211713.tif 000002
【実用新案登録請求の範囲】
【請求項１】
平面矩形状を呈するように配置された少なくとも４本の支柱と、
前記各支柱の地面から所定の高さ離れた位置を互いに連結する下部連結部材と、
前記各支柱の上端側を互いに連結する上部連結部材と、
前記下部連結部材の位置に差し渡された複数の通水孔を有する卒塔婆載置プレートと、
前記上部連結部材と下部連結部材の間に周囲の全部或は一部を覆って設けられたところの複数の通気孔を有する目隠しプレートと、
を備えたことを特徴とする、卒塔婆収納ケース。
【請求項２】
前記各支柱の下端部には設置基盤が、各頂部にはキャップが取り付けられていることを特徴とする、請求項１に記載の卒塔婆収容ケース。
【請求項３】
前記下部連結部材には前記卒塔婆載置プレートを支える複数の桟部材が差し渡され、
前記下部連結部材と前記上部連結部材との間には前記目隠しプレートを取り付ける複数の支持部材が設けられていることを特徴とする、請求項１〜２のいずれか１項に記載の卒塔婆収納ケース。
【請求項４】
前記目隠しプレートに設けた通気孔は、装飾模様を形成することを特徴とする、請求項１〜３のいずれか１項に記載の卒塔婆収納ケース。
【請求項５】
前記目隠しプレートに、装飾模様を施したことを特徴とする、請求項１〜４のいずれか１項に記載の卒塔婆収納ケース。
【請求項６】
前記装飾模様を、複数の透かし孔により形成したことを特徴とする、請求項５に記載の卒塔婆収納ケース。
【請求項７】
前記目隠しプレートを金属製とし、その表面に装飾塗装が施されていることを特徴とする、請求項１〜６のいずれか１項に記載の卒塔婆収納ケース。
【請求項８】
前記設置基盤には、さらに地中打ち込み用のアンカー部材が取り付けられていることを特徴とする、請求項１〜７のいずれか１項に記載の卒塔婆収納ケース。
【考案の詳細な説明】
【技術分野】
【０００１】
この考案は、使用済み或は交換済みの卒塔婆を一時的に保管しておくための卒塔婆収納ケースに関する。
【背景技術】
【０００２】
仏教国の日本では、故人の回忌法要・回忌供養、お彼岸やお盆などの時期にお墓の後ろに、多くは板製の６０cmから２１０cm程度の長さの卒塔婆を立てて供養することが行われている。この卒塔婆は供養が終わると片付けられたり、或は次の供養の際に新しいものと交換されたりしている。このような使用済みの卒塔婆は、墓地の空き地に横に寝かせて重ねたり、塀に立て掛けたりしてまとめて置き、お焚き上げによって焼却処分される。しかしながら、集団墓地などでは、お焚き上げまでの保管期間が長くなり、風雨に晒された状態が続くため、地面に直置きすれば腐敗してしまい、立て掛けておけば突風などで倒れて不測の事故につながる場合もあった。また、古い卒塔婆であっても、そのような状態で放置されることは、遺族の心を痛める原因にもなっていた。
【０００３】
そのような事態を防ぐため、例えば下記特許文献１には、屋根付きの建造物タイプの廃棄卒塔婆の保管装置が開示されているが、その装置は大掛かりで経費が掛かると共に、屋外で多数の卒塔婆を保管するには強度的に問題があり、また、外観的に保管中の卒塔婆が外部から丸見えであるため、仏を尊ぶという気持ちを必ずしも充分に表わせる状態ではなかった。その他、下記特許文献２〜４に記載のように、交換前の卒塔婆を保管しておくための卒塔婆立ても種々提案されているが、それらは卒塔婆を立てて置くようになっているため、交換済みの卒塔婆を保管するには、安全性、保管数量、その他の点で適しているとは言い得なかった。
【先行技術文献】
【特許文献】
【０００４】
【特許文献１】実用新案登録第３０８２８１３号公報
【特許文献２】実開昭６１−１１３６８９号公報
【特許文献３】意匠登録第１１４６０９２号公報
【特許文献４】意匠登録第１１２１１８３号公報
【考案の概要】
【考案が解決しようとする課題】
【０００５】
本考案は、前記の問題点を解決するためなされたものであり、その目的とするところは、使用、交換済みの古い卒塔婆を、屋外で保管しても地面からの汚れを受けることがなく、雨水も溜まることのない風通しの良い清澄な環境で保管でき、設置コストも安く済み、充分な強度を有することにより、多くの卒塔婆を長期間安定して安全に保管できると共に、外観的にも仏を敬う気持ちを表すことができる、等々の各種効果を達成することが可能な卒塔婆収納ケースを提供することにある。
【課題を解決するための手段】
【０００６】
上述した目的を達成するため、請求項１に記載の本考案に係る卒塔婆収納ケースは、平面矩形状を呈するように配置された少なくとも４本の支柱と、前記各支柱の地面から所定の高さ離れた位置を互いに連結する下部連結部材と、前記各支柱の上端側を互いに連結する上部連結部材と、前記下部連結部材の位置に差し渡された複数の通水孔を有する卒塔婆載置プレートと、前記上部連結部材と下部連結部材の間に周囲の全部或は一部を覆って設けられたところの複数の通気孔を有する目隠しプレートと、を備えたことを特徴とする。
【０００７】
好適な実施形態としての請求項２に係る卒塔婆収納ケースは、前記各支柱の下端部には設置基盤が、各頂部にはキャップが取り付けられていることを特徴とする。
【０００８】
好適な実施形態としての請求項３に係る卒塔婆収納ケースは、前記下部連結部材には前記卒塔婆載置プレートを支える複数の桟部材が差し渡され、前記下部連結部材と前記上部連結部材との間には前記目隠しプレートを取り付ける複数の支持部材が設けられていることを特徴とする。ただし、卒塔婆載置プレートや目隠しプレートの支持手段は、これに限定されるものではない。
【０００９】
好適な実施形態としての請求項４に係る卒塔婆収納ケースは、前記目隠しプレートに設けた通気孔は、装飾模様を形成することを特徴とする。
【００１０】
好適な実施形態としての請求項５に係る卒塔婆収納ケースは、前記目隠しプレートに、装飾模様を施したことを特徴とする。
【００１１】
好適な実施形態としての請求項６に係る卒塔婆収納ケースは、前記装飾模様を、複数の透かし孔により形成したことを特徴とする。ただし、目隠しプレートの装飾模様の形態はこれに限定されるものではない。
【００１２】
好適な実施形態としての請求項７に係る卒塔婆収納ケースは、前記目隠しプレートを金属製とし、その表面に装飾塗装が施されていることを特徴とする。
【００１３】
そして、好適な実施形態としての請求項８に係る卒塔婆収納ケースは、前記設置基盤に地中打ち込み用のアンカー部材が取り付けられていることを特徴とする。
【考案の効果】
【００１４】
この考案は以上のように構成したので、次のような効果を奏し得る。即ち、請求項１のように構成すると、卒塔婆載プレートが地面から所定の高さ離れた位置に設けられ、かつ、雨水が通過可能な複数の通水孔が設けられているので、ここに寝かせた状態で載置された卒塔婆の周りに雨水が溜まることなく排出され、目隠しプレートに設けた通気孔等を通じて吹き抜ける風通しの良い清澄な環境で保管でき、更に、前記卒塔婆載置プレート上に置かれた卒塔婆がむき出しになることなく、前記目隠しプレートによって外部から見えにくくされているため、外観的にも仏を敬う気持ちが伝わる卒塔婆収納ケースを提供することができる。また、少なくとも４本の支柱同士が下部連結部材と上部連結部材とによって互いに連結されることにより、多数枚の卒塔婆を安定して保管できる強固な骨組みの卒塔婆収納ケースを提供することが可能となる。
【００１５】
請求項２のように構成すると、各支柱の下端部に設けた設置基盤を介して卒塔婆収納ケースを設置場所に堅固に安定した状態で設置可能となり、更に、支柱の頂部に擬宝珠（ぎぼし）、鳳凰像その他の各種各様の装飾用などのキャップを取り付けることにより、高級感に富み、仏を敬う気持ちを醸成できるという効果を奏し得る。
【００１６】
請求項３のように構成すると、桟部材によって、卒塔婆載置プレートをしっかりと支持することのできる雨水が通過可能な強固で外観の良い卒塔婆支持機構が構築できると共に、前記下部連結部材と上部連結部材とが複数の支持部材によって互いに連結されることによって、一層強固な骨組みが構築できると共に、これらの支持部材を利用して前記目隠しプレートを安定的に取り付けることができるという効果を奏し得る。
【００１７】
請求項４のように構成すると、目隠しプレートに設けた通気孔が装飾模様としての役割も果たすことによって、通気性と共に、シンプルで耐久性に優れた装飾効果を達成できる。
【００１８】
請求項５のように構成すると、目隠しプレートが装飾模様を有することによって、高級感に富み、仏を敬う気持ちを醸成できるという効果を奏し得る。
【００１９】
請求項６のように構成すると、耐久性に富み、気品ある装飾模様を形成できるという効果を奏し得る。
【００２０】
請求項７のように構成すると、金属製の目隠しプレートを装飾塗装することにより、耐久性に富み、気品ある装飾性をもたせることができるという効果を奏し得る。
【００２１】
請求項８のように構成すると、卒塔婆収納ケースの設置状態が安定し、台風などによる強風の際に倒れたり、飛ばされたりすることを防止できるという効果を奏し得る。
【図面の簡単な説明】
【００２２】
【図１】本考案に係る卒塔婆収納ケースの一実施例を示す正面図である。
【図２】図１中のＡ−Ａ線に沿った垂直断面図である。
【図３】図１中のＢ−Ｂ線に沿った水平断面図である。
【図４】図１に示した卒塔婆収納ケースの骨組みを示す斜視図である。
【図５】図１に示した卒塔婆収納ケースの内部状態を示す斜視図である。
【図６】本考案に係る卒塔婆収納ケースで用いる目隠しプレートの装飾模様の２例を示す説明図である。
【図７】本考案に係る卒塔婆収納ケースで用いるキャップの２例を示す説明図である。
【図８】本考案の卒塔婆収納ケースにおける目隠しプレートの配置のもう１つの例を示す斜視図である。
【考案を実施するための形態】
【００２３】
以下、図面を参照しつつ、本考案に係る卒塔婆収納ケースの好適な実施例について説明する。
【００２４】
図１乃至図５に示す如く、本考案に係る卒塔婆収納ケース１は、図示した実施例において、４本の支柱１１〜１４と、４本の下部連結部材１５〜１８と、４本の上部連結部材１９〜２２と、６枚の卒塔婆載置プレート３１〜３６（図３、図５参照）と、前面、背面及び両側面に取り付けられた合計１４枚の目隠しプレート５１〜６４とを備えている。これらの部材の材質としては、好適にはステンレスＳＵＳ３０４等を用いることによって機械加工による強度及び精度を確保でき、屋外に設置したときの風雨、積雪、直射日光下での錆等による外観劣化や、環境に対する汚染も防止できる。ただし、アルミニウム、鉄、真鍮等の金属を用い、防蝕のための塗装を施すようにしてもよく、前記ステンレスＳＵＳ３０４等を含めてそれら金属の表面に金属色の高反射防止と防蝕効果、さらに卒塔婆収納ケースに相応しい色合いの発現等を兼ねた装飾塗装を施すようにしてもよい。更にまた、前記各部材の材質として繊維強化プラスチック等の使用も排除するものではなく、部材に応じて金属、プラスチックを使い分けるようにしても良い。前記４本の支柱１１〜１４と、４本の下部連結部材１５〜１８と、４本の上部連結部材１９〜２２は、図示したように断面が円形のパイプ材とすることが推奨される。
【００２５】
この実施例における卒塔婆収納ケース１は全長７尺（約２１２０ｍｍ）の卒塔婆用のものであり、そのサイズは、図２、図４に示すように、例えば横幅Ｗ＝２２７７ｍｍ、全高Ｈ＝９００ｍｍ、地面から卒塔婆載置プレート３１〜３６までの高さＪ＝４５０ｍｍ、卒塔婆載置プレート３１〜３６から上部連結部材１９〜２２までの高さＫ＝４００ｍｍ、奥行きＤ（前側の支柱１１、１２と後側の支柱１３、１４との間の間隔）＝４５０ｍｍである。ただし、これらのサイズは、収納する卒塔婆のサイズや収納予定枚数、外観や予算の希望等によって変更可能である。
【００２６】
図示した実施例における４本の支柱１１〜１４は、いずれも同一の形状及びサイズを有するので、そのうち支柱１１について説明すれば、図１等に示す如く、その主体部１１ａの下端には設置基盤１１ｂが取り付けられ、頂部１１ｃにはキャップ６５が取り付けられる。図示した実施例において、設置基盤１１ｂは地中に打ち込むアンカー部材７１、７１によって地面７２に固定される。具体的には、設置基盤１１ｂは、支柱１１の下端に溶着された複数の止め孔を有する円板（図示は省略）と、その上に被せられる図示したような設置基盤１１ｂとしての外観を呈するカバーとから構成される。設置時には、支柱１１の下端の前記円板を下にして支柱１１を地面に立て、円板の前記止め孔にアンカー部材７１を差し込み、これを地面に打ち込んで支柱１１を所定位置に固定する。その後、支柱１１の下半部に予め嵌め合せてある前記カバーを前記円板上に被せ、必要に応じて接着剤や止めネジ等で固定するようにする。尚、アンカー部材の種類やその使用態様は上記説明のものに限定されない。
【００２７】
支柱１１〜１４の頂部１１ｃ〜１４ｃには、前記の如くキャップ６５〜６８がそれぞれ取り付けられる。図１に示した卒塔婆収納ケース１においては、これらのキャップ６５〜６８はいずれも図７（ａ）に示すような平丸型のキャップ６５と同じものである。これらのキャップとしてはさまざまな形態のものが取付け可能であり、例えば図７（ｂ）に示すような半球型キャップ６５０を取り付けたり、図７（ａ）のものと図７（ｂ）のものとを取り混ぜて使用したりすることも可能である。また、キャップはこれらに限らず、擬宝珠（ぎぼし）型のものや鳳凰型のものなど、各種形態のものを取り付けることができ、その気品ある装飾効果によって仏を敬う気持ちを表現できる。
【００２８】
前記各支柱１１〜１４間には、地面から所定の高さＪだけ離れた位置において４本の下部連結部材１５〜１８が、各支柱間に略水平に掛け渡すように取り付けられる。この高さＪは、前記卒塔婆載置プレート３１〜３６の高さ位置にほぼ相当するものであり、本実施例においては前記の如く４５０ｍｍとされる。ただし、これに限定されるものではなく、地面からの汚れ等が付着しない高さであればよく、卒塔婆収納ケース１の設置場所の環境その他の理由に応じて決定される。前記各支柱１１〜１４に対する下部連結部材１５〜１８の両端部の固定方法は、各支柱１１〜１４の主体部１１ａ〜１４ａの中間の前記所定の高さＪの位置に開けた孔に下部連結部材１５〜１８の端部を差し込んだ状態で溶着するようにすることが、強度的に推奨される。ただし、例えば管継手を用いて連結、固定することも可能であり、状況に応じて各種の固定方法を利用することができる。
【００２９】
更に前記下部連結部材１５〜１８から上側へ所定の高さＫだけ離れた位置において、前記各支柱１１〜１４の上端側を互いに連結するように、４本の上部連結部材１９〜２２が略水平に掛け渡すように取り付けられる。この高さＫは、本実施例においては前記の如く４００ｍｍとされるが、これに限定されるものではなく、前記卒塔婆載置プレート３１〜３６上に載置、収納すべき卒塔婆の予定数量に応じて決定される。各支柱１１〜１４に対する上部連結部材１９〜２２の両端部の固定方法も、前記下部連結部材１５〜１８の場合と同様に、各支柱１１〜１４の主体部１１ａ〜１４ａの上端近くに開けた孔に上部連結部材１９〜２２の端部を差し込んだ状態で溶着するようにすることが推奨される。ただし、管継手等を用いて連結、固定することも可能であり、状況に応じて各種の固定方法を利用することができる。
【００３０】
このように、複数の支柱１１〜１４同士を下部連結部材１５〜１８と上部連結部材１９〜２２とによって溶着等の手段で互いに連結することにより、強固な骨組みの卒塔婆収納ケースを構築でき、多数枚の卒塔婆を安定して保管することが可能となる。
【００３１】
図示した実施例において、図３、図４に示すように、手前側の下部連結部材１５と奥側の下部連結部材１６との間に差し渡す状態で複数本の桟部材２４〜３０が溶接等により取り付けられ、さらにその上に、図３、図５に示すように６枚の卒塔婆載置プレート３１〜３６が溶接等により取り付けられる。これらの卒塔婆載置プレート３１〜３６には、その主体部３１ａ〜３６ａに多数の通水孔３１ｂ〜３６ｂが明けられており、これらの卒塔婆載置プレート３１〜３６上に多数の卒塔婆を横に寝かせた状態で収納できるようになっている。このような卒塔婆載置プレート３１〜３６であれば、雨水は前記卒塔婆載置プレート３１〜３６に明けた多数の通水孔３１ｂ〜３６ｂを通じて地面７２へ落下若しくは流下するので、卒塔婆の周囲に溜まることはなく、卒塔婆を乾燥に適した風通しの良い環境で保管でき、卒塔婆の傷み、腐敗を防止できる。また、このような卒塔婆載置プレート３１〜３６であれば、多数の卒塔婆の重量に耐え得る強固で外観の良い収納スペースを容易に作製できる。
【００３２】
更に、本考案に係る卒塔婆収納ケース１においては、前記卒塔婆載置プレート３１〜３６上に置かれた卒塔婆２、２を外部から見えにくくすると共に、卒塔婆の乾燥維持を妨げることのない多数の通気孔を有する目隠しプレート５１〜６４（図１、図３、図５参照）が、前記上部連結部材１９〜２２と下部連結部材１５〜１８の間にそれらによって囲まれる周囲の全部或は一部を覆うように取り付けられる。より具体的には、下部連結部材１５〜１８と上部連結部材１９〜２２との間に、複数本の支持部材３７〜５０が溶着もしくは管継手等の手段により連結され、更にこれらの支持部材３７〜５０の間に目隠しプレート５１〜６２が取り付けられる。即ち、これらの目隠しプレートは、それらの辺縁部の要所を前記下部連結部材１５〜１８、上部連結部材１９〜２２及び／又は支持部材３７〜５０に溶着、ネジ止め、接着等の適宜の手段により固定することにより取り付けられる。
【００３３】
目隠しプレート５１〜６４は、他の部材と同様に好適にはステンレスＳＵＳ３０４、その他の金属板等で作製され、更に、機械加工、レーザー加工等によって多数の通気孔が明けられ、更に当該多数の通気孔自体若しくは塗装等によって所望の装飾模様が施される。図示した実施例においては、機械加工によって複数の通気孔としての透かし孔を明け、これにより所望の装飾模様を形成してある。即ち、正面及び側面の見え易い位置に取り付けられた目隠しプレート５１〜５６、６３、６４については、例えば図６（ａ）に示す目隠しプレート５１のように、主体部５１ａの最上段には透かし孔による花模様５１ｂ、それ以外の領域には透かし孔によるクロス状の網目模様５１ｃを機械加工によって孔明けしたものを取り付け、背面の目隠しプレート５７〜６２については、例えば図６（ｂ）に示す目隠しプレート５７のように、主体部５７ａに対して機械加工により透かし孔である丸孔５７ｂを千鳥格子状に配列したものを取り付ける。尚、これらの定形的な装飾模様のものは規格品として提供し、蓮の花の模様など顧客の希望に応じたその他の模様については、レーザー加工により受注生産するようにしてもよい。尚、図５においては、卒塔婆載置プレート３１、３２については通水孔を描いてあるが、卒塔婆載置プレート３３〜３６については通水孔の描出を省略し、また同様に、目隠しプレート５１、５２、５７、５８については前記多数の通気孔を描いてあるが、目隠しプレート５３〜５６、５９〜６２、６４については通気孔の描出を省略してある。尚、図示した実施例においては、前記卒塔婆載置プレート３１〜３６としても、丸孔を千鳥格子状に配列した背面側の目隠しプレート５７〜６２と同様のものを用い、コスト削減を図っている。これらの目隠しプレートは、前記透かし孔を明けたプレートの表面を装飾塗装したり、或いは透かし孔を明けることなく装飾塗装したものを用いることも可能であり、装飾塗装としては、例えば御影石のような石目調シルバー塗装や、漆塗りのようなダークブラウン塗装とすることも可能である。目隠しプレート５１〜６４にそのような装飾を施すことにより、卒塔婆を丁重に保管するという気持ちを一層強く表すことができる。なお、卒塔婆載置プレートや目隠しプレ−トの桟部材や支柱、或は連結部材に対する固着方法は溶着に限られず、ビス止めなどの方法によっても良い。
【００３４】
これらの目隠しプレート５１〜６４を設けることにより、卒塔婆載置プレート３１〜３６上に置かれた卒塔婆２、２が外から丸見えにならず、卒塔婆を丁重に保管するという気持ちを表すことができる。また、これらの目隠しプレート５１〜６４によって卒塔婆載置プレート３１〜３６上に載置された卒塔婆の周囲を囲っても、目隠しプレート５１〜６４に設けた通気孔によって、卒塔婆の乾燥維持が妨げられることはない。
【００３５】
尚、前記目隠しプレートの数や配列、各プレートの形状やサイズ等はさまざまに変更可能であり、例えば図８に示すように、正面及び背面に４枚ずつ相互に間隔を明けて配置することも可能であり、或いはまた、正面側に横幅の広い目隠しプレートを２枚程度取り付けたりすることも可能である。また、この卒塔婆収納ケースを檀家等からの寄贈によって設置する場合のため、寄贈日、寄贈者の名前等を記載した寄贈プレートも取り付け可能なように構成することも可能である。
【００３６】
尚、本考案は上記実施例に限定されず、例えば、支柱の数を更に増やして、耐荷重性を高めたり、目隠しプレートの形状を四角形以外のものとしたり、卒塔婆載置プレート３１〜３６の形態も適宜変更し得るものであり、したがって、本考案は上記の説明から当業者が容易に想到しうる全ての変更実施例を包摂するものである。
【産業上の利用可能性】
【００３７】
上記の如き構成を有する本考案に係る卒塔婆収納ケースによるときは、使用、交換済みの古い卒塔婆を、屋外においても地面からの汚れを受けることなく、雨水も溜まることなく排出されることにより、風通しの良い清澄な環境で保管でき、設置コストも比較的安く済み、充分な強度を有することにより、多くの卒塔婆を横に寝かせた状態で長期間安定して安全に乾燥状態を保って保管できると共に、外観的にも仏を敬う気持ちを醸成することができる、等々の各種効果を達成可能な卒塔婆収納ケースを提供し得る。
【符号の説明】
【００３８】
１          卒塔婆収納ケース
２、２      卒塔婆
１１〜１４  支柱
１１ａ      主体部
１１ｂ      設置基盤
１１ｃ      頂部
１５〜１８  下部連結部材
１９〜２２  上部連結部材
２４〜３０  桟部材
３１〜３６  卒塔婆載置プレート
３７〜５０  支持部材
５１〜６４  目隠しプレート
６５〜６８  キャップ
７１、７１  アンカー部材
７２        地面
【図１】
0003211713.tif 000003
【図２】
0003211713.tif 000004
【図３】
0003211713.tif 000005
【図４】
0003211713.tif 000006
【図５】
0003211713.tif 000007
【図６】
0003211713.tif 000008
【図７】
0003211713.tif 000009
【図８】
0003211713.tif 000010
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
平面矩形状を呈するように配置された少なくとも４本の支柱と、
前記各支柱の地面から所定の高さ離れた位置を互いに連結する下部連結部材と、
前記各支柱の上端側を互いに連結する上部連結部材と、
前記下部連結部材の位置に差し渡された複数の通水孔を有する卒塔婆載置プレートと、
前記上部連結部材と下部連結部材の間に周囲の全部或は一部を覆って設けられたところの複数の通気孔を有する目隠しプレートと、
を備えたことを特徴とする、卒塔婆収納ケース。
【請求項２】
前記各支柱の下端部には設置基盤が、各頂部にはキャップが取り付けられていることを特徴とする、請求項１に記載の卒塔婆収納ケース。
【請求項３】
前記下部連結部材には前記卒塔婆載置プレートを支える複数の桟部材が差し渡され、
前記下部連結部材と前記上部連結部材との間には前記目隠しプレートを取り付ける複数の支持部材が設けられていることを特徴とする、請求項１〜２のいずれか１項に記載の卒塔婆収納ケース。
【請求項４】
前記目隠しプレートに設けた通気孔は、装飾模様を形成することを特徴とする、請求項１〜３のいずれか１項に記載の卒塔婆収納ケース。
【請求項５】
前記目隠しプレートに、装飾模様を施したことを特徴とする、請求項１〜４のいずれか１項に記載の卒塔婆収納ケース。
【請求項６】
前記装飾模様を、複数の透かし孔により形成したことを特徴とする、請求項５に記載の卒塔婆収納ケース。
【請求項７】
前記目隠しプレートを金属製とし、その表面に装飾塗装が施されていることを特徴とする、請求項１〜６のいずれか１項に記載の卒塔婆収納ケース。
【請求項８】
前記設置基盤には、さらに地中打ち込み用のアンカー部材が取り付けられていることを特徴とする、請求項２に記載の卒塔婆収納ケース。